(57)【特許請求の範囲】
【請求項１】
下記（ａ）成分０．１〜３０質量％、（ｂ）成分０．５〜１５質量％、（ｃ）成分０．１〜３質量％、及び（ｄ）成分０．１〜５質量％を含有し、（ｂ）成分と（ｃ）成分の質量比が（ｂ）／（ｃ）＝１０／１〜２．５／１である衣料用塗布用液体漂白剤組成物。
（ａ）成分：過酸化水素
（ｂ）成分：下記一般式（１）で表される非イオン界面活性剤
Ｒ1−Ｏ（Ｃ2Ｈ4Ｏ）p−Ｈ      （１）
〔式中、Ｒ1は、炭素数１０〜１６のアルキル基又はアルケニル基を示す。ｐはＣ2Ｈ4Ｏの平均付加モル数であり３〜７の数を示す。〕
（ｃ）成分：下記一般式（２）で表される非イオン界面活性剤
Ｒ1−Ｏ（Ｃ2Ｈ4Ｏ）q−Ｈ      （２）
〔式中、Ｒ1は、炭素数１０〜１６のアルキル基又はアルケニル基を示す。ｑはＣ2Ｈ4Ｏの平均付加モル数であり９〜１３の数を示す。〕
（ｄ）成分：下記一般式（３）で表される化合物
Ｒ2−Ｏ（Ｃ2Ｈ4Ｏ）r−Ｈ      （３）
〔式中、Ｒ2は、炭素数１６〜１８のアルキル基を示す。ｒはＣ2Ｈ4Ｏの平均付加モル数であり５０〜２００の数を示す。〕
【請求項２】
更に下記（ｅ）成分０．１〜３質量％を含有する請求項１記載の衣料用塗布用液体漂白剤組成物。
（ｅ）成分：漂白活性化剤
【請求項３】
２０℃における粘度が４〜４０ｍＰａ・ｓである、請求項１又は２記載の衣料用塗布用液体漂白剤組成物。
【発明の詳細な説明】
【技術分野】
【０００１】
本発明は、衣料用液体漂白剤組成物に関する。
【背景技術】
【０００２】
酸素系漂白剤のうち、過炭酸ナトリウム、過ほう酸ナトリウムが粉末漂白剤として使用されており、また過酸化水素は、液体酸素系漂白剤として使用されており、液体酸素系漂白剤は衣類に直接塗布出来るなどの使いやすさから特に好まれている。
【０００３】
ところで液体酸素系漂白剤を直接衣類に塗布する場合、液体の粘度が使いやすさに影響することから、粘度の制御法が検討されている。特許文献１には、２種の非イオン界面活性剤を使用することによる粘度の制御法が開示されている。また、特許文献２には、少なくとも２種の特定の非イオン界面活性剤を、特定の組み合わせ、さらに特定の比率で配合することにより、温度の変化に対して粘度の変化が小さく、貯蔵中の過酸化水素の安定性に優れる液体酸素系漂白剤が開示されている。
【特許文献１】国際公開第９４／１１４７４号パンフレット
【特許文献２】特開平９−１８８８９５号
【発明の開示】
【発明が解決しようとする課題】
【０００４】
しかしながら、上記特許文献１に開示されている漂白剤組成物は、温度の変化によって粘度が著しく変化し、実際に使用する場面においては使いづらいという問題がある。また、特許文献２では、温度の変化に対して粘度の変化は小さいが、塗布使用で高い性能を発現する低ＨＬＢ非イオン界面活性剤の配合比率が高くなる組成では、高温での液感安定性や過酸化水素の安定性をより向上させることが望まれる。
【０００５】
したがって、本発明の課題は、塗布使用で高い性能を発現する低ＨＬＢ非イオン界面活性剤を含有する系において、高い安定性を示し、更に、より高い漂白性や洗浄性を発現することができる衣料用液体漂白剤組成物を提供することである。
【課題を解決するための手段】
【０００６】
本発明は、下記（ａ）成分０．１〜３０質量％、（ｂ）成分０．５〜１５質量％、（ｃ）成分０．１〜７．５質量％、及び（ｄ）成分０．１〜５質量％を含有し、（ｂ）成分と（ｃ）成分の質量比が（ｂ）／（ｃ）＝１００／１〜２／１である衣料用液体漂白剤組成物に関する。
（ａ）成分：過酸化水素
（ｂ）成分：下記一般式（１）で表される非イオン界面活性剤
Ｒ1−Ｏ（Ｃ2Ｈ4Ｏ）p−Ｈ      （１）
〔式中、Ｒ1は、炭素数１０〜１６のアルキル基又はアルケニル基を示す。ｐはＣ2Ｈ4Ｏの平均付加モル数であり３〜７の数を示す。〕
（ｃ）成分：下記一般式（２）で表される非イオン界面活性剤
Ｒ1−Ｏ（Ｃ2Ｈ4Ｏ）q−Ｈ      （２）
〔式中、Ｒ1は、炭素数１０〜１６のアルキル基又はアルケニル基を示す。ｑはＣ2Ｈ4Ｏの平均付加モル数であり９〜１３の数を示す。〕
（ｄ）成分：下記一般式（３）で表される化合物
Ｒ2−Ｏ（Ｃ2Ｈ4Ｏ）r−Ｈ      （３）
〔式中、Ｒ2は、炭素数１６〜１８のアルキル基又はアルケニル基を示す。ｒはＣ2Ｈ4Ｏの平均付加モル数であり５０〜２００の数を示す。〕
【発明の効果】
【０００７】
本発明によれば、高い安定性を示し、更に、より高い漂白性や洗浄性を発現することができる衣料用液体漂白剤組成物が提供される。本発明の衣料用液体漂白剤組成物は、油汚れに対する非常に高い浸透性を示す事から、高い漂白性、洗浄性を発現することができる。また、塗布使用で高い性能を発現する低ＨＬＢ非イオン界面活性剤を含有するため、塗布用の漂白剤として好適である。
【発明を実施するための最良の形態】
【０００８】
［（ａ）成分］
本発明の衣料用液体漂白剤組成物は、（ａ）成分として過酸化水素を含有する。（ａ）成分の過酸化水素としての含有量は、衣料用液体漂白剤組成物中に０．１〜３０質量％、好ましくは０．５〜２０質量％、更に好ましくは１〜１５質量％、特に好ましくは１〜１０質量％である。このような範囲において優れた漂白効果を得ることができる。
【０００９】
［（ｂ）成分］
本発明の衣料用液体漂白剤組成物は、（ｂ）成分として、下記一般式（１）で表される非イオン界面活性剤を含有する。
Ｒ1−Ｏ（Ｃ2Ｈ4Ｏ）p−Ｈ      （１）
〔式中、Ｒ1は、炭素数１０〜１６のアルキル基又はアルケニル基を示す。ｐはＣ2Ｈ4Ｏの平均付加モル数であり３〜７の数を示す。好ましくはｐは４〜６．５、より好ましくは５〜６．５の数である。〕
【００１０】
（ｂ）成分のデービス氏の方法で求めたＨＬＢは、汚れへの浸透性、漂白性向上の観点から、好ましくは２．２〜６．５であり、より好ましくは２．９〜６．１であり、更に好ましくは３．８〜５．８である。尚、デービス氏の方法によるＨＬＢは、「界面活性剤  物性・応用・化学生態学」第７版、第２４頁、北原文雄、玉井康勝、早野茂夫、原一郎編、講談社サイエンティフィック発行（１９９０年発行）において定義されている。
【００１１】
なお、一般式（１）で表される非イオン界面活性剤の好適な例としては、ポリオキシエチレンアルキルエーテル型非イオン界面活性剤が挙げられる。
【００１２】
ポリオキシエチレンアルキルエーテル型非イオン界面活性剤としては、具体的には、下記一般式で表される化合物が挙げられるが、これらに限定されない。
Ｃ12Ｈ25−Ｏ（Ｃ2Ｈ4Ｏ）p−Ｈ  （ｐ＝３〜７）
Ｃ14Ｈ29−Ｏ（Ｃ2Ｈ4Ｏ）p−Ｈ  （ｐ＝３〜７）
【００１３】
更に具体的には、ポリオキシエチレンラウリルエーテル（オキシエチレン平均付加モル数６、ＨＬＢ１３．１）が挙げられる。
【００１４】
（ｂ）成分の含有量は、高温での液感安定性、漂白性能向上の観点から、組成物中、０．５〜１５質量％であり、１．０〜１２質量％が好ましく、３〜１０質量％がより好ましい。
【００１５】
［（ｃ）成分］
本発明の衣料用液体漂白剤組成物は、（ｃ）成分として、下記一般式（２）で表される非イオン界面活性剤を含有する。
Ｒ1−Ｏ（Ｃ2Ｈ4Ｏ）q−Ｈ      （２）
〔式中、Ｒ1は、炭素数１０〜１６のアルキル基又はアルケニル基を示す。ｑはＣ2Ｈ4Ｏの平均付加モル数であり９〜１３の数を示す。好ましくはｑは９．５〜１２．５、より好ましくは１０〜１２の数である。〕
【００１６】
なお、一般式（２）で表される非イオン界面活性剤の好適な例としては、ポリオキシエチレンアルキルエーテル型非イオン界面活性剤が挙げられる。
【００１７】
ポリオキシエチレンアルキルエーテル型非イオン界面活性剤としては、具体的には、下記一般式で表される化合物が挙げられるが、これらに限定されない。
Ｃ12Ｈ25−Ｏ（Ｃ2Ｈ4Ｏ）q−Ｈ  （ｑ＝９〜１３）
Ｃ14Ｈ29−Ｏ（Ｃ2Ｈ4Ｏ）q−Ｈ  （ｑ＝９〜１３）
【００１８】
更に具体的には、ポリオキシエチレンラウリルエーテル（オキシエチレン平均付加モル数１０）が挙げられる。
【００１９】
（ｃ）成分の含有量は、高温での液感安定性、漂白性能向上の観点から、組成物中、０．１〜７．５質量％であり、０．５〜５質量％が好ましく、０．８〜３質量％がより好ましい。
【００２０】
本発明の衣料用液体漂白剤組成物では、（ｂ）成分と（ｃ）成分の質量比は、（ｂ）／（ｃ）＝１００／１〜２／１であり、例えば、衣類の汚れに対する衣料用液体漂白剤組成物の浸透性をさらに向上させる観点から、好ましくは、（ｂ）／（ｃ）＝２０／１〜２．５／１であり、より好ましくは、１０／１〜２．５／１であり、さらに好ましくは、７／１〜３／１である。
【００２１】
［（ｄ）成分］
本発明の液体漂白剤組成物は、（ｄ）成分として下記一般式（３）で表される化合物を含有する。
Ｒ2−Ｏ（Ｃ2Ｈ4Ｏ）r−Ｈ      （３）
〔式中、Ｒ2は、炭素数１６〜１８のアルキル基又はアルケニル基を示す。ｒはＣ2Ｈ4Ｏの平均付加モル数であり５０〜２００の数を示す。〕
【００２２】
一般式（３）中のＲ2はアルキル基が好ましい。また、ｒは６０〜１８０が好ましく、９０〜１６０がさらに好ましい。
【００２３】
（ｄ）成分の含有量は、高温での液感安定性、漂白性能向上の観点から、組成物中、０．１〜５質量％であり、０．５〜４質量％が好ましく、０．７〜３質量％がより好ましい。
【００２４】
本発明の衣料用液体漂白剤組成物では、高温での液感安定性、漂白性能向上の観点から、（ｂ）成分、（ｃ）成分の合計と（ｄ）成分の質量比は、（ｂ）+（ｃ）／（ｄ）＝１００／１〜２／１であり、好ましくは、（ｂ）／（ｃ）＝２０／１〜３／１であり、より好ましくは、１０／１〜４／１である。
【００２５】
本発明では、特定の２種類の非イオン界面活性剤、（ｂ）成分と（ｃ）成分とを特定の比率で含有し、更に、（ｄ）成分を含有する事で、非常に高い安定性を示し、さらに、油汚れに対する非常に高い浸透性を示す事から、高い漂白性、洗浄性を発現することができる。（ｂ）成分は低ＨＬＢの非イオン界面活性剤であり、通常、（ｂ）成分のような低ＨＬＢノニオンの配合比率が高い液体漂白剤組成物は洗浄性が優れるが、高温での液安定性が低く、高温安定性向上のために一般に用いられる陰イオン界面活性剤、溶剤、ハイドロトロープ剤等を添加した場合、高温安定性は向上するが、油汚れに対する浸透性が低下し、漂白、洗浄性能は低下してしまう。本発明者等は、鋭意検討の結果、（ｂ）成分として洗浄性の観点から限定された好適なエチレンオキサイド（以下ＥＯと表記する）付加モル数を有する非イオン性界面活性剤と、（ｃ）成分として限定するような、ＥＯ平均付加モル数が、洗浄剤として主成分となる（ｂ）成分より数モル多いＥＯ付加物である非イオン性界面活性剤を所定の質量比で混合する事により、製品の温度に対する粘度の安定性向上と油汚れへの浸透性を両立することができることを見出した。この効果は、通常の合成方法で非イオン性界面活性剤を合成した場合、正規分布に近いＥＯ付加モル数分布となるのに対し、（ｂ）成分と（ｃ）成分を混合することによって、混合後の非イオン性界面活性剤のＥＯ付加モル数の分布を平均付加モル数のみを合わせた合成品とは異なるＥＯ付加モル数の分布とする事により、発現するものと考えられる。このような、ＥＯ鎖の鎖長分布が、非イオン性界面活性剤の浴中での会合状態に影響を与え、乳化状態や汚れへの吸着状態を変え、比較的ＥＯの平均付加モル数が近い（ｂ）成分と（ｃ）成分であるにもかかわらず、混合によって、のよる粘度安定性と油汚れへの浸透性が著しく向上したものと考えている。従って、最適なＥＯ平均付加モル数分布を達成する為に、（ｂ）成分や（ｃ）成分に相当するアルキル基又はアルケニル基を有しＥＯ平均付加モル数が７超９未満である化合物は、配合しないか、配合しても（ｂ）成分や（ｃ）成分の配合量以下であることが好ましい。更に、本発明で選定した（ｄ）成分を用いる事によって、高温安定性、過酸化水素の安定性が向上するだけでなく、より高い漂白、洗浄性能が発現する事を見出した。これは、より親水性が高い（ｄ）成分のような構造を持つ化合物が共存することで、組成物の高温での安定性が向上し、更には、浴中での（ｂ）成分や（ｃ）成分の溶解性が向上するため、（ｂ）成分や（ｃ）成分の効果が増大されるためと考えられる。
【００２６】
本発明の液体漂白剤組成物は、更に、以下の成分を含有することができる。
［（ｅ）成分］
本発明の液体漂白剤組成物は、（ｅ）成分として、漂白性向上の観点から、漂白活性化剤を含有し得る。漂白活性化剤としては、特開平１０−２５１６８９号段落［００１０］に記載のものが挙げられる。
【００２７】
（ｅ）成分の含有量は、液感安定性、漂白性能向上の観点から、組成物中、０．２〜１５質量％が好ましく、０．３〜１０質量％がより好ましく、０．４〜３質量％が更に好ましい。
【００２８】
［金属封鎖剤］
本発明の液体漂白剤組成物は、（ａ）成分の安定性向上の観点から、金属封鎖剤を含有し得る。金属封鎖剤としては、ホスホン酸系が好ましく用いられる。その具体例としては、エタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体等が挙げられる。これらは１種又は２種以上配合することができる。中でも、１−ヒドロキシエタン−１，１−ジホスホン酸、エチレンジアミンテトラキスメチレンホスホン酸等が好ましい。金属封鎖剤の含有量は、本発明の液体漂白剤組成物中、０．０１〜５質量％、更に０．０５〜３質量％が好ましい。
【００２９】
［ラジカルトラップ剤］
本発明の衣料用液体漂白剤組成物は、過酸化水素及び漂白活性化剤の安定性向上の観点から、ラジカルトラップ剤を含有し得る。ラジカルトラップ剤としては、フェノール系、すなわちフェノール性ＯＨ基を有する化合物、そのエステル誘導体やエーテル誘導体等の誘導体が好ましい。好適な例としては、ジメトキシフェノール、カテコール、ハイドロキノン、メトキシフェノール、ジブチルヒドロキシトルエン（ＢＨＴ）等が挙げられる。
【００３０】
その他に本発明の衣料用液体漂白剤組成物は、ハイドロトロープ剤、シリコーン類、殺菌剤、酵素、香料、蛍光染料等の任意成分を配合し得る。本発明の液体漂白剤組成物は水を含有し、通常、組成物の残部は水である。
【００３１】
香料としては、例えば、特開２００３−２１３２９５号の段落［０００７］〜［００２２］に記載の香料を使用することができる。
【００３２】
蛍光染料としては、例えば、特開２００４−３０８０７０号に記載の蛍光染料を使用することができる。
【００３３】
［ｐＨ］
本発明の衣料用液体漂白剤組成物は、２０℃におけるｐＨが好ましくは１．５〜６．０、より好ましくは２．０〜５．５、更に好ましくは２．３〜５．０である。この範囲のｐＨにおいて、過酸化水素の安定性の向上、及び優れた漂白洗浄性能を発現し得る。
【００３４】
このようなｐＨに調整するためのｐＨ調整剤としては塩酸、硫酸などの無機酸、もしくはクエン酸、コハク酸、リンゴ酸、フマル酸、酒石酸、マロン酸、マレイン酸などの有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることができる。この中でも特に、塩酸及び硫酸から選ばれる無機酸、又は水酸化ナトリウムや水酸化カリウムから選ばれる無機塩基を用いることが好ましい。
【００３５】
本発明の衣料用液体漂白剤組成物の粘度は２０℃において、３〜５０ｍＰａ・ｓ、更に４〜４０ｍＰａ・ｓ、より更に５〜３５ｍＰａ・ｓであることが好ましい。この粘度は、（株）東京計器製Ｂ型粘度計（型式ＢＭ）を用いて測定した。
【００３６】
本発明の液体漂白剤組成物は、衣料以外の繊維製品にも適用することができる。
【００３７】
［液体漂白剤組成物の製造方法］
本発明の液体漂白剤組成物は、上記（ａ）〜（ｄ）成分、更には（ｅ）成分等の任意成分を配合してなる組成物である。本発明では、配合原料の総量を基準として、（ａ）成分を０．１〜３０質量％、（ｂ）成分を０．５〜１５質量％、（ｃ）成分を０．１〜７．５質量％、（ｄ）成分を０．１〜５質量％、更に（ｅ）成分を含有する場合は（ｅ）成分を０．２〜１５質量％、且つ（ｂ）成分と（ｃ）成分の質量比が（ｂ）／（ｃ）＝１００／１〜２／１となるような割合で用いて、これらの成分を混合することで、衣料用液体漂白剤組成物を製造することができる。従って、前記した（ａ）〜（ｅ）成分の含有量は、仕込み時の配合量であってもよい。
【００３８】
なかでも、（ｅ）成分を含有する液体漂白剤組成物は、（ｅ）成分の安定性、製造容易性の観点から、次の工程（Ｉ）〜（II）を含む方法より製造することが好ましい。
工程（Ｉ）：（ｅ）成分５〜２０質量％、（ｂ）成分５〜２０質量％を含有する溶液を調製する工程
工程（II）：上記工程（Ｉ）で得られた溶液を、（ｃ）成分を含有する溶液と混合する工程
（ａ）成分、（ｂ）成分、（ｄ）成分は、（ｃ）成分を含有する溶液に配合して、あるいは工程（Ｉ）で得られた溶液及び（ｃ）成分を含有する溶液とは別の溶液（同一又は異なる溶液）に配合して、工程（II）で配合できる。
【００３９】
本発明の衣料用液体漂白剤組成物は、液状で衣料に適用することで優れた漂白効果を発揮する。従って、衣料に塗布して処理する漂白方法に供することが好ましい。具体的には、衣料への適用は、塗布、スプレー、浸漬などが挙げられ、塗布が好適である。一例として、衣料への適用量（特に塗布量）は、布面積１ｃｍ2あたり０．１〜１ｍｌが好ましく、０．３〜１ｍｌがより好ましい。本発明の液体漂白剤組成物は、衣料以外の繊維製品にも適用することができる。
【実施例】
【００４０】
実施例１〜５、比較例１〜５
下記成分を用い、表１に示す組成の衣料用液体漂白剤組成物を調製した。ｐＨはＮａＯＨで調整した。この衣料用液体漂白剤組成物について、下記方法で、組成物の安定性及び漂白性能を評価した。結果を表１に示す。
【００４１】
＜配合成分＞
（ａ）成分
・ａ−１；過酸化水素
【００４２】
（ｂ）成分
・ｂ−１；Ｃ12Ｈ25Ｏ−（Ｃ2Ｈ4Ｏ）6.0Ｈ
・ｂ−２；Ｃ14Ｈ29Ｏ−（Ｃ2Ｈ4Ｏ）6.5Ｈ
・ｂ−３；Ｃ12Ｈ25Ｏ−（Ｃ2Ｈ4Ｏ）4.0Ｈ
・ｂ’−４；Ｃ12Ｈ25Ｏ−（Ｃ2Ｈ4Ｏ）2.5Ｈ
【００４３】
（ｃ）成分
・ｃ−１；Ｃ12Ｈ25Ｏ−（Ｃ2Ｈ4Ｏ）10.5Ｈ
・ｃ−２；Ｃ12Ｈ25Ｏ−（Ｃ2Ｈ4Ｏ）13.0Ｈ
・ｃ’−３；Ｃ12Ｈ25Ｏ−（Ｃ2Ｈ4Ｏ）15.0Ｈ
【００４４】
（ｄ）成分
・ｄ−１；Ｃ18Ｈ37Ｏ−（Ｃ2Ｈ4Ｏ）130Ｈ
・ｄ−２；Ｃ18Ｈ37Ｏ−（Ｃ2Ｈ4Ｏ）60Ｈ
・ｄ’−３；Ｃ18Ｈ37Ｏ−（Ｃ2Ｈ4Ｏ）30Ｈ
【００４５】
（ｅ）成分
・ｅ−１；ラウリルオキシベンゼンスルホン酸ナトリウム（ｎ−Ｃ11Ｈ23ＣＯＯＣ6Ｈ4ＳＯ3Ｎａ）
【００４６】
（ｆ）成分
・ｆ−１；エタン−１−ヒドロキシ−１，１−ジホスホン酸（デイクエスト２０１０、ソルーシア社製）
【００４７】
＜液感安定性＞
密閉ガラス容器（内容量１００ｍＬ）に液体漂白剤組成物を充填し、６０℃の恒温室に１ヶ月静置した。保存後の液体漂白剤組成物が、透明均一溶液であったものを〇、白濁を生じたものを△、分離が生じたものを×として評価を行った。
【００４８】
＜過酸化水素安定性＞
図１に示すガラス容器１（内容量１０００ｍＬ）に液体漂白剤組成物を充填し、５０℃の恒温室に１ヶ月間静置し、発生したガス量（ｍＬ）を目盛り２（１００ｍＬまで測定可能）により測定した。発生するガスは、過酸化水素が分解した酸素であり、ガス発生量が少ない事は、過酸化水素の分解が少なく組成物の安定性が高い事を示している。
【００４９】
＜漂白性能＞
以下の方法で調製したミートソース汚染布（４枚）に液体漂白剤組成物を１ｍｌずつピペットマン（ギルソン社製、Ｐ−１０００）を用いて塗布し、２０℃で５分間放置後、０．０６６７質量％濃度の市販洗剤〔アタック（花王製  ロット番号Ｗ１５３１３７〕水溶液を使ってターゴトメーターにて洗浄した。処理前後の布表面の反射率を測定し、下式により漂白率を求めた。
【００５０】
・ミートソース汚染布の調製
カゴメ（株）製ミートソース（完熟トマトのミートソース（２００９年６月２０日賞味期限、ロット番号：Ｄ７６２０ＪＧ）／内容量２９５ｇの缶詰）の固形分をメッシュ（目の開き；５００μｍ）で除去した後、得られた液を煮沸するまで加熱した。この液に木綿金布＃２００３を浸し、４０分間煮沸した。そのまま火からおろし２時間程度放置し３０℃まで放置した後、布を取りだし、余分に付着している液をへらで除去し、自然乾燥させた。その後プレスし、１０ｃｍ×１０ｃｍの試験布として実験に供した。
【００５１】
漂白率（％）＝（漂白後の反射率−漂白前の反射率）／（白布の反射率−漂白前の反射率）×１００
【００５２】
【表１】
0005567255.tif 000002
【００５３】
比較例１は、ｂ’−４を（ｂ）成分として（ｂ）／（ｃ）質量比を示した。
【図面の簡単な説明】
【００５４】
【図１】実施例及び比較例において、ガス発生量の測定に用いた装置である。
【図１】
0005567255.tif 000003